(57)【特許請求の範囲】
【請求項１】
電源供給を行う内部バッテリと、電源の投入、あるいは切断する電源ボタンを備え、公衆基地局を介して公衆回線に接続することができ、充電器にセットすることによって前記内部バッテリを充電することができる携帯電話装置において、
前記充電器にセットされたことを検出する充電器検出手段と、
前記電源ボタン、あるいは該充電器検出手段の検出信号により、該携帯電話装置の電源を投入、あるいは切断する電源制御手段を備え、
前記電源ボタンによって電源を切断した状態で該携帯電話装置を前記充電器にセットした場合、前記充電器検出手段は、該携帯電話装置が前記充電器にセットされたことを検出して検出信号を前記電源制御手段に出力し、前記充電器検出手段の検出信号によって、前記電源制御手段は、該携帯電話装置の電源を投入し、
前記充電器は、該携帯電話装置を該充電器にセットした場合に、前記電源制御手段により該携帯電話装置の電源を投入するか、しないかを設定する第２の設定手段と、該第２の設定手段の設定状態を、該携帯電話装置に通知する通知手段を備え、
該携帯電話装置は、前記充電器の通知手段の通知を受け取る受信手段を備え、
前記電源制御手段は、該受信手段で受け取った通知に基づき、該携帯電話装置の電源を投入するか、しないかを決定することを特徴とする携帯電話装置。
【請求項２】
請求項１において、
前記電源ボタンによって電源を切断した状態で該携帯電話装置を前記充電器にセットした場合に、前記電源制御手段により電源を投入するか、しないかを設定する第１の設定手段を備えることを特徴とする携帯電話装置。
【請求項３】
請求項１あるいは２において、
前記充電器検出手段は、前記内部バッテリの電圧があらかじめ設定された電圧より高いか低いかを検出する電圧検出手段により構成され、
該電圧検出手段にあらかじめ設定された電圧よりも、前記内部バッテリの電圧が高いことを検出することによって、該携帯電話装置が前記充電器にセットされたことを検出する携帯電話装置。
【請求項４】
請求項１あるいは２において、
前記充電器検出手段は、前記充電器に備えられた凹凸と、前記携帯電話装置に備えられた、該充電器の凹凸を検出する凹凸検出手段から構成され、
該凹凸検出手段は、前記充電器に備えられた凹凸を検出することによって、該携帯電話装置が前記充電器にセットされたことを検出する携帯電話装置。
【請求項５】
請求項１あるいは２において、
前記充電器検出手段は、前記充電器に備えられた１つ以上の充電器端子と、前記充電器端子にあらかじめ設定された電圧レベルを加えるレベル発生手段と、該携帯電話装置に備えられた、該携帯電話装置が前記充電器にセットされたときに前記充電器端子に接触する、前記充電器端子と同数の携帯電話装置端子と、該携帯電話装置端子に加わる電圧レベルがあらかじめ設定された電圧レベルかを検出するレベル検出手段から構成され、該レベル検出手段は、前記携帯電話装置端子の電圧レベルが、あらかじめ設定された電圧レベルの場合に、該携帯電話装置が前記充電器にセットされたことを検出する携帯電話装置。
【請求項６】
請求項１あるいは２において、前記充電器検出手段は、前記充電器に備えられた磁性体と、該携帯電話装置に備えられた、該充電器の磁性体の磁気を検出する磁気検出手段から構成され、該磁気検出手段は、前記充電器に備えられた磁性体の磁気を検出することにより、前記携帯電話装置が前記充電器にセットされたことを検出する携帯電話装置。
【発明の詳細な説明】
【０００１】
【発明の属する技術分野】
本発明は無線で公衆回線に接続することができる携帯電話装置に係わり、特に、電源を切断したまま充電した場合に、着信できなくなることを防止する携帯電話装置に関する。
【０００２】
【従来の技術】
携帯電話装置は内蔵した内部バッテリにより電源の供給が行われる。この内部バッテリは、通常、充電器にセットすることにより充電される。
【０００３】
ところで、携帯電話装置の使用者は、携帯電話装置の利用可能時間を長くするため、電源を切断してバッテリの節約を図ることがあった。
【０００４】
また、携帯電話装置は、使用者の意志に関わらず、外部からの呼び出しを着信することができるため、会議中、映画館内など呼び出されると困る状況においては携帯電話装置の電源を切断して呼び出されないようにすることがあった。
【０００５】
また、従来の携帯電話装置は、内部バッテリを充電するため、充電器にセットする場合、携帯電話装置の電源が切断された状態でセットしても、携帯電話装置の電源は切断されたままであった。従って、外部から呼び出しされても着信することができなかった。
【０００６】
【発明が解決しようとする課題】
以上のように携帯電話装置の電源を切断した場合、電源の再投入を忘れてしまうと、外部からの呼び出しを着信できず、携帯電話装置の利便性が失われてしまうことがあった。
【０００７】
さらに、屋外では携帯電話、家庭内ではコードレス電話として使用できる第２世代コードレス電話システムにおいては、屋外で携帯電話装置の電源を切断して、再投入を忘れてしまうと携帯電話装置の呼び出しだけでなく、家庭の一般加入者電話の呼び出しも着信できなくなるという問題点があった。
【０００８】
本発明の目的は、使用者が携帯電話装置の電源を切断した状態でも、充電器にセットすることで携帯電話装置の電源を自動的に投入する携帯電話装置を供給することにある。
【０００９】
【課題を解決するための手段】
以上の目的を達成するために本発明における携帯電話装置は、電源供給を行う内部バッテリと、電源の投入、あるいは切断する電源ボタンを備え、該携帯電話装置が、充電器にセットされたことを検出する充電器検出手段と、前記電源ボタン、あるいは該充電器検出手段の検出信号により、該携帯電話装置の電源を投入、あるいは切断する電源制御手段を備える。
【００１０】
さらに、前記電源ボタンによって電源を切断した状態で該携帯電話装置を前記充電器にセットした場合に、前記電源制御手段により電源を投入するか、しないかを設定する第１の設定手段を備える。
【００１１】
また、前記充電器検出手段は、前記内部バッテリの電圧があらかじめ設定された電圧より高いか低いかを検出する電圧検出手段により構成される。
【００１２】
あるいは、前記充電器検出手段は、前記充電器に備えられた凹凸と、前記携帯電話装置に備えられた、該充電器の凹凸を検出する凹凸検出手段から構成される。
【００１３】
あるいは、前記充電器検出手段は、前記充電器に備えられた１つ以上の充電器端子と、前記充電器端子にあらかじめ設定された電圧レベルを加えるレベル発生手段と、該携帯電話装置に備えられた、該携帯電話装置が前記充電器にセットされたときに前記充電器端子に接触する、前記充電器端子と同数の携帯電話装置端子と、該携帯電話装置端子に加わる電圧レベルがあらかじめ設定された電圧レベルかを検出するレベル検出手段から構成される。
【００１４】
あるいは、前記充電器検出手段は、前記充電器に備えられた磁性体と、該携帯電話装置に備えられた、該充電器の磁性体の磁気を検出する磁気検出手段から構成される。
【００１５】
あるいは、本発明における携帯電話装置は、電源供給を行う内部バッテリと、電源の投入、あるいは切断する電源ボタンを備え、充電器は、該携帯電話装置を該充電器にセットした場合に、前記電源制御手段により該携帯電話装置の電源を投入するか、しないかを設定する第２の設定手段と、該第２の設定手段の設定状態を、該携帯電話装置に通知する通知手段を備え、該携帯電話装置は、前記充電器の通知手段の通知を受け取る受信手段と、前記電源ボタン、あるいは該受信手段の受信信号により、該携帯電話装置の電源を投入、あるいは切断する電源制御手段を備える。
【００１６】
あるいは、本発明における携帯電話装置は電源供給を行う内部バッテリと、電源の投入、あるいは切断する電源ボタンを備え、充電器は、該携帯電話装置を該充電器にセットした場合に、前記電源制御手段により該携帯電話装置の電源を投入するか、あるいは切断するかを設定する第２の電源ボタンと、該第２の電源ボタンの設定状態を、該携帯電話装置に通知する通知手段を備え、該携帯電話装置は、前記充電器の通知手段の通知を受け取る受信手段と、前記電源ボタン、あるいは該受信手段の受信信号により、該携帯電話装置の電源を投入、あるいは切断する電源制御手段を備える。
【００１７】
本発明における携帯電話装置は、電源ボタンによって電源を切断した状態で携帯電話装置を充電器にセットした場合、充電器検出手段は、携帯電話装置が充電器にセットされたことを検出して検出信号を電源制御手段に出力し、充電器検出手段の検出信号によって、電源制御手段は、携帯電話装置の電源を投入し、内部バッテリを充電する。
【００１８】
さらに、本発明における携帯電話装置は、電源ボタンによって電源を切断した状態で携帯電話装置を充電器にセットした場合、第１の設定手段が、携帯電話装置を充電器にセットした場合に電源を投入するように設定されている場合は、充電器検出手段の検出信号によって、電源制御手段は、携帯電話装置の電源を投入し、内部バッテリを充電し、第１の設定手段が、携帯電話装置を充電器にセットした場合に電源を投入しないように設定されている場合は、充電器検出手段の検出信号によって、電源制御手段は、携帯電話装置の電源を投入せず、内部バッテリを充電する。
【００１９】
また、充電器検出手段は、電圧検出手段にあらかじめ設定された電圧よりも、内部バッテリの電圧が高いことを検出することによって、携帯電話装置が充電器にセットされたことを検出する。
【００２０】
あるいは、充電器検出手段は、凹凸検出手段は、充電器に備えられた凹凸を検出することによって、携帯電話装置が充電器にセットされたことを検出する。
【００２１】
あるいは、充電器検出手段は、レベル検出手段は、携帯電話装置端子の電圧レベルが、あらかじめ設定された電圧レベルの場合に、携帯電話装置が充電器にセットされたことを検出する。
【００２２】
あるいは、充電器検出手段は、磁気検出手段は、充電器に備えられた磁性体の磁気を検出することにより、携帯電話装置が充電器にセットされたことを検出する。
【００２３】
さらに、本発明における携帯電話装置は、携帯電話装置を充電器にセットした場合、受信手段で、第２の設定手段が電源を投入するように設定されていることを通知手段を介して受信した場合は、充電器検出手段の検出信号によって、電源制御手段は、携帯電話装置の電源を投入し、内部バッテリを充電し、受信手段で、第２の設定手段が電源を投入しないように設定されていることを通知手段を介して受信した場合は、充電器検出手段の検出信号によって、電源制御手段は、携帯電話装置の電源を投入せず、内部バッテリを充電する。
【００２４】
さらに、本発明における携帯電話装置は、携帯電話装置を充電器にセットした場合、受信手段で、第２の電源ボタンが電源を投入するように設定されていることを通知手段を介して受信した場合は、充電器検出手段の検出信号によって、電源制御手段は、携帯電話装置の電源を投入し、内部バッテリを充電し、受信手段で、第２の設定手段が電源を切断するように設定されていることを通知手段を介して受信した場合は、充電器検出手段の検出信号によって、電源制御手段は、携帯電話装置の電源を切断して、内部バッテリを充電する。
【００２５】
【発明の実施の形態】
本発明の実施例を以下に図面を用いて詳細に説明する。
【００２６】
図１は本発明である携帯電話装置の第１の実施例を示す。１は携帯電話装置、２は携帯電話装置を充電するための充電器、３は携帯電話装置１に内蔵された内部バッテリ、４は携帯電話装置１の電源を投入、あるいは切断する電源ボタン、５は携帯電話装置１が充電器２にセットされたことを検出する充電器検出手段、６は携帯電話装置１の電源を投入、あるいは切断する電源制御手段である。
【００２７】
以下に第１の実施例の動作について詳細に説明する。携帯電話装置１の使用者は、家庭など充電器２が設置してある場所では、携帯電話装置１を充電器２にセットする。充電器検出手段５は、携帯電話装置１が充電器２にセットされたことを検出し、電源制御手段６に検出信号を出力する。このとき、携帯電話装置１の電源が、電源ボタン４によって切断されている場合は、電源制御手段６は携帯電話装置１の電源を投入し、内部バッテリ３の充電を開始する。ここで充電器２にセットした場合に携帯電話装置１の電源が切断されていない場合は、そのまま内部バッテリ３の充電を行う。
【００２８】
以上のように構成することにより、使用者が携帯電話装置１の電源を切断したまま充電器２にセットしたとしても、携帯電話装置１の電源が自動的に投入されるので充電中に外部から呼び出しがあったとしても着信することが可能となる。
【００２９】
図２は本発明である携帯電話装置の第２の実施例を示す。第１の実施例と同じ動作をするものに関しては等しい符号を付加する。７は電源ボタン４によって電源を切断した状態で、携帯電話装置１を充電器２にセットした場合に、電源制御手段６によって電源を投入するか、しないかを設定する設定手段である。
【００３０】
以下に第２の実施例の動作について詳細に説明する。第１の実施例同様に、携帯電話装置１が充電器２にセットされると、充電器検出手段５は、充電器２にセットされたことを検出し、電源制御手段６に検出信号を出力する。このとき、電源ボタン４によって、携帯電話装置１の電源が切断されている場合で、且つ設定手段７に電源の投入をするように設定されている場合は、電源制御手段６は、携帯電話装置１の電源を投入し、内部バッテリ３の充電を開始する。一方、設定手段７に電源を投入しないように設定されている場合は、電源制御手段６は、携帯電話装置１の電源を投入せず、内部バッテリ３の充電を開始する。ここで、充電器２に携帯電話装置１がセットされた場合に携帯電話装置１の電源が切断されていない場合は、設定手段７の設定状態に関わらず電源は投入されたまま、充電が行われる。
【００３１】
以上のように構成することにより、第１の実施例と同様な効果が得られる。また、本実施例においては、使用者が携帯電話装置１の電源を切断し、設定手段７で電源を投入しないように設定しておけば、充電中に、携帯電話装置１の電源が投入されず、携帯電話装置１への電源供給が行われないので、携帯電話装置１の充電時間を短縮することできる。
【００３２】
図５は、充電器検出手段５の第１の構成例である。５ａは内部バッテリ３の電圧レベルがあらかじめ設定された電圧より高いか、低いかを検出する電圧検出手段である。５ｂは内部バッテリ３を充電するための給電端子である。１２は内部バッテリから充電器２に電流が逆流することを防ぐための保護ダイオードである。携帯電話装置１が充電器にセットされると、給電端子５ｂより電源が供給される。給電端子５ｂの電圧は、内部バッテリ３を充電するため、内部バッテリより高い。従って充電器２にセットされると内部バッテリに加わる電圧が高くなる。電圧検出手段５ａには、充電器２にセットしないときの内部バッテリ３の電圧をあらかじめ設定しておく。電圧検出手段５ａは、内部バッテリがあらかじめ設定された電圧より高くなったことを検出することで携帯電話装置１が充電器２にセットされたことを検出する。以上のようにして充電器検出手段５を構成することができる。
【００３３】
図６は、充電器検出手段５の第２の構成例である。本構成例は第１の構成例の接続を変えたもので、１３は抵抗である。携帯電話装置１が充電器２にセットされていない場合は、電圧検出手段５ａは抵抗１３を介して接地されており電圧はほとんど加わらない。また、充電器２にセットされ、給電端子５ｂに電圧が加わると電圧検出手段５ａには給電端子５ｂの電圧が加わる。このような構成にすることにより、電圧検出手段５ａでのあらかじめ設定する電圧レベルを用意に設定できるようになる。
【００３４】
図７は、充電器検出手段５の第３の構成例である。充電器２は凸の形状をしており、携帯電話装置１は凹の形状にしておく。携帯電話装置１には凹凸検出手段５ｃが備えられており、携帯電話装置１が充電器２にセットされると、凹凸検出手段５ｃが充電器２の凸を検出する。以上のようにして充電器検出手段５を構成することができる。
【００３５】
図８は、充電器検出手段５の第４の構成例である。５ｄは充電器２に備えられた端子で、本構成例では２個の端子から構成されている。５ｅは端子５ｄに加える電圧を発生させるレベル発生手段、５ｆは携帯電話装置１に備えられ、携帯電話装置１を充電器２にセットしたときに、充電器２に備えられた端子５ｄと接触するような端子、５ｇは端子５ｆに加わる電圧レベルを検出するレベル検出手段である。充電器２は、レベル発生手段５ｅにあらかじめ設定した電圧レベルを設定しておく。レベル発生手段５ｅに設定された電圧レベルは充電器２に備えられた端子５ｄに加えられている。ここでは例えば２つの端子にそれぞれ０Ｖ、３Ｖとあらかじめ設定しておく。携帯電話装置１が充電器２にセットされると、携帯電話装置１に備えられた端子５ｆは充電器２に備えられた端子５ｄに接触し、レベル検出手段５ｇは、充電器２の端子５ｄの電圧レベルを検出する。このとき端子５ｆに加わっている電圧レベルがあらかじめ設定した値、すなわち０Ｖ、３Ｖである場合に、レベル検出手段５ｇは充電器２にセットされたことを検出する。上記構成例では端子５ｄ、５ｆはそれぞれ２個で構成しているが、一つ以上であれば何個で構成しても良い。以上のようにして充電器検出手段５を構成することができる。
【００３６】
図９は、充電器検出手段５の第５の構成例である。５ｈは充電器２に備えられた磁性体、５ｉは携帯電話装置１に備えられた磁気検出手段である。携帯電話装置１が充電器２にセットされると、磁気検出手段５ｉが磁性体５ｈの磁気を検出し、充電器２にセットされたことを検出する。以上のように充電器検出手段５を構成することができる。
【００３７】
図３は本発明である携帯電話装置の第３の実施例を示す。第１の実施例と同じ動作をするものに関しては等しい符号を付加する。８は充電器２に備えられた、携帯電話装置１が充電器２にセットされた場合に電源を投入するか、しないかを設定する設定手段、９は設定手段８の設定を携帯電話装置１に通知するための通知手段、１０は充電器２の通知手段９からの通知を受け取る受信手段である。
【００３８】
以下に第３の実施例の動作について詳細に説明する。携帯電話装置１が充電器２にセットされると、受信手段１０は、充電器２の設定手段８が電源を投入するか、しないかどちらに設定されているかを、通知手段９を介して受信手段１０で受信する。受信手段１０で受信した設定手段８の設定が電源を投入するように設定され、携帯電話装置１の電源が切断されている場合は、電源制御手段６は、電源を投入し、充電を開始する。また、受信手段１０で受信した設定手段８の設定が電源を投入しないように設定され、携帯電話装置１の電源が切断されている場合は、電源制御手段６は、電源を投入しないで充電を行う。ここで携帯電話装置１が充電器２にセットされたときに、携帯電話装置１の電源が切断されていない場合は、そのまま充電する。
【００３９】
以上のように構成することにより、第２の実施例と同様の効果が得られる。
【００４０】
図４は本発明である携帯電話装置の第４の実施例を示す。第３の実施例と同じ動作をするものに関しては等しい符号を付加する。１１は充電器２に備えられた、携帯電話装置１の電源を投入、あるいは切断する電源ボタンである。
【００４１】
以下に第４の実施例の動作について詳細に説明する。携帯電話装置１が充電器２にセットされると、受信手段１０は、充電器２の電源ボタン１１が電源を投入するか、切断するかどちらに設定されているかを、通信手段９を介して受信手段１０で受信する。受信手段１０で受信した電源ボタン１１の設定が電源を投入するように設定されている場合は、携帯電話装置１の電源の投入、切断に関わらず電源を投入して、充電を開始する。一方、受信手段１０で受信した電源ボタン１１の設定が電源を切断するように設定されている場合は、携帯電話装置１の電源の投入、切断に関わらず電源を切断して、充電を開始する。また、充電中に充電器２に備えられた電源ボタン１１を操作することにより携帯電話装置１の電源を投入、切断することも可能である。
【００４２】
以上のように構成することにより第２、第３の実施例と同様の効果が得られる。また、本実施例においては、携帯電話装置１を充電器２から取り外すことなく、携帯電話装置１の電源の投入、切断の操作をすることができる。
【００４３】
【発明の効果】
本発明によれば、使用者が携帯電話装置の電源を切断したまま充電器にセットしても、携帯電話装置の電源が自動的に投入されるため、充電中に外部から携帯電話装置が呼び出された場合でも着信することが可能となる。
【図面の簡単な説明】
【図１】本発明の第１の実施例を示すブロック図。
【図２】本発明の第２の実施例を示すブロック図。
【図３】本発明の第３の実施例を示すブロック図。
【図４】本発明の第４の実施例を示すブロック図。
【図５】充電器検出手段の第１の構成例を示すブロック図。
【図６】充電器検出手段の第２の構成例を示すブロック図。
【図７】充電器検出手段の第３の構成例を示すブロック図。
【図８】充電器検出手段の第４の構成例を示すブロック図。
【図９】充電器検出手段の第５の構成例を示すブロック図。
【符号の説明】
１…携帯電話装置、
２…充電器、
３…内部バッテリ、
４…電源ボタン、
５…充電器検出手段、
６…電源制御手段。
【図１】
0003717989.tif 000002
【図２】
0003717989.tif 000003
【図３】
0003717989.tif 000004
【図４】
0003717989.tif 000005
【図５】
0003717989.tif 000006
【図６】
0003717989.tif 000007
【図７】
0003717989.tif 000008
【図８】
0003717989.tif 000009
【図９】
0003717989.tif 000010